【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
ユーザの頭部に対して内側方向の力を加える少なくとも１つのばね体、可撓領域又は剛体領域に設定可能な複数の領域、および２つの端部領域を有するハウジングを備え、
前記ハウジングが、第１の可撓領域および第２の可撓領域を有し、
第１の可撓領域が、前記ハウジングの中央部と第１の剛体領域との間に位置し、
第２の可撓領域が、前記第１の剛体領域と第２の剛体領域との間に位置し、
前記第１の可撓領域により与えられる内側方向の力が、前記第２の可撓領域により与えられる内側方向の力よりも大きく、
前記２つの端部領域がユーザの頭部の前側に位置し、かつ、これら２つの端部領域がそれぞれユーザの頭部の両側に配されるようにして、そのユーザの頭部の一部を取り囲むように構成されている、頭部装着型のコンピュータ。
【請求項２】
請求項１に記載の頭部装着型のコンピュータにおいて、前記ハウジングが、ユーザの頭部の後側により支持される、頭部装着型のコンピュータ。
【請求項３】
請求項１に記載の頭部装着型のコンピュータにおいて、さらに、
第１の近距離無線通信（ＮＦＣ）モジュールに動作可能に接続された中央演算処理装置（ＣＰＵ）を有する中央演算処理プリント回路基板（ＣＰＵＰＣＢ）であって、その第１のＮＦＣモジュールが第１の前記複数の領域内に位置する、中央演算処理プリント回路基板（ＣＰＵＰＣＢ）と、
第２のＮＦＣモジュールに動作可能に接続された少なくとも１つの補助モジュールを有する補助プリント回路基板（ＡＵＸＰＣＢ）であって、その第２のＮＦＣモジュールが第２の前記複数の領域内に位置する、補助プリント回路基板（ＡＵＸＰＣＢ）と、
を備え、
前記第１のＮＦＣモジュールと前記第２のＮＦＣモジュールとが、ＮＦＣリンクを確立するように構成されている、頭部装着型のコンピュータ。
【請求項４】
請求項３に記載の頭部装着型のコンピュータにおいて、さらに、
前記ハウジングの前記端部領域のうちの一方に取り付けられた、少なくとも１つのマウント部、
を備える、頭部装着型のコンピュータ。
【請求項５】
請求項４に記載の頭部装着型のコンピュータにおいて、前記少なくとも１つのマウント部は、付属物が取り付けられるように構成されている、頭部装着型のコンピュータ。
【請求項６】
請求項５に記載の頭部装着型のコンピュータにおいて、前記付属物が、カメラ、センサ、マイクロホン、ディスプレイおよび照明装置のうちの、少なくとも１つを含む、頭部装着型のコンピュータ。
【請求項７】
請求項４に記載の頭部装着型のコンピュータにおいて、前記少なくとも１つのマウント部が、少なくとも１つのジョイント部を有する、頭部装着型のコンピュータ。
【請求項８】
請求項３に記載の頭部装着型のコンピュータにおいて、前記第１の複数の領域と前記第２の複数の領域とが、互いに隣り合う、頭部装着型のコンピュータ。
【請求項９】
頭部装着型のコンピュータをユーザに合うように構成する方法であって、
ユーザの頭部に対して内側方向の力を加える少なくとも１つのばね体、可撓領域又は剛体領域に設定可能な複数の領域、および２つの端部領域を有するハウジングを用意する過程、
を含み、
前記ハウジングが、第１の可撓領域および第２の可撓領域を有し、
第１の可撓領域が、前記ハウジングの中央部と第１の剛体領域との間に位置し、
第２の可撓領域が、前記第１の剛体領域と第２の剛体領域との間に位置し、
前記第１の可撓領域により与えられる内側方向の力が、前記第２の可撓領域により与えられる内側方向の力よりも大きく、
前記頭部装着型のコンピュータは、前記２つの端部領域がユーザの頭部の前側に位置し、かつ、これら２つの端部がそれぞれユーザの頭部の両側に配されるようにして、そのユーザの頭部の一部を取り囲むように構成される、方法。
【請求項１０】
請求項９に記載の方法において、前記ハウジングが、ユーザの頭部の後側により支持される、方法。
【請求項１１】
請求項９に記載の方法において、さらに、
第１の近距離無線通信（ＮＦＣ）モジュールに、中央演算処理装置（ＣＰＵ）を有する中央演算処理プリント回路基板（ＣＰＵＰＣＢ）を動作可能に接続する過程であって、その第１のＮＦＣモジュールが第１の前記複数の領域内に位置する過程と、
第２のＮＦＣモジュールに、少なくとも１つの補助モジュールを有する補助プリント回路基板（ＡＵＸＰＣＢ）を動作可能に接続する過程であって、その第２のＮＦＣモジュールが第２の前記複数の領域内に位置する過程と、
を含み、
前記第１のＮＦＣモジュールと前記第２のＮＦＣモジュールとが、ＮＦＣリンクを確立するように構成される、方法。
【請求項１２】
請求項１１に記載の方法において、さらに、
前記ハウジングの前記端部領域のうちの一方に取り付けられた、少なくとも１つのマウント部を用意する過程、
を含む、方法。
【請求項１３】
請求項１２に記載の方法において、前記少なくとも１つのマウント部は、付属物が取り付けられるように構成されている、方法。
【請求項１４】
請求項１３に記載の方法において、前記付属物が、カメラ、センサ、マイクロホン、ディスプレイおよび照明装置のうちの、少なくとも１つを含む、方法。
【請求項１５】
請求項１２に記載の方法において、前記少なくとも１つのマウント部が、少なくとも１つのジョイント部を有する、方法。
【請求項１６】
請求項１１に記載の方法において、前記第１の複数の領域と前記第２の複数の領域とが、互いに隣り合う、方法。
【手続補正２】
【補正対象書類名】明細書
【補正対象項目名】００５１
【補正方法】変更
【補正の内容】
【００５１】
本発明を例示的な実施形態を参照しながら図示・説明したが、添付の特許請求の範囲に包含される本発明の特許請求の範囲から逸脱することなく、その形態や詳細に様々な変更を施せることを当業者であれば理解するであろう。
なお、本発明は、実施の態様として以下の内容を含む。
［態様１］
ユーザの頭部に対して内側方向の力を加える少なくとも１つのばね体、可撓領域又は剛体領域に設定可能な複数の領域、および２つの端部領域を有するハウジングを備え、
前記２つの端部領域がユーザの頭部の前側に位置し、かつ、これら２つの端部領域がそれぞれユーザの頭部の両側に配されるようにして、そのユーザの頭部の一部を取り囲むように構成されている、頭部装着型のコンピュータ。
［態様２］
態様１に記載の頭部装着型のコンピュータにおいて、前記ハウジングが、ユーザの頭部の後側により支持される、頭部装着型のコンピュータ。
［態様３］
態様１に記載の頭部装着型のコンピュータにおいて、前記ハウジングが、第１の可撓領域および第２の可撓領域を有する、頭部装着型のコンピュータ。
［態様４］
態様３に記載の頭部装着型のコンピュータにおいて、前記第１の可撓領域が、前記ハウジングの中央部と第１の剛体領域との間に位置する、頭部装着型のコンピュータ。
［態様５］
態様４に記載の頭部装着型のコンピュータにおいて、前記第２の可撓領域が、前記第１の剛体領域と第２の剛体領域との間に位置する、頭部装着型のコンピュータ。
［態様６］
態様４に記載の頭部装着型のコンピュータにおいて、前記第１の可撓領域により与えられる内側方向の力が、前記第２の可撓領域により与えられる内側方向の力よりも大きい、頭部装着型のコンピュータ。
［態様７］
態様１に記載の頭部装着型のコンピュータにおいて、さらに、
第１の近距離無線通信（ＮＦＣ）モジュールに動作可能に接続された中央演算処理装置（ＣＰＵ）を有する中央演算処理プリント回路基板（ＣＰＵＰＣＢ）であって、その第１のＮＦＣモジュールが第１の前記複数の領域内に位置する、中央演算処理プリント回路基板（ＣＰＵＰＣＢ）と、
第２のＮＦＣモジュールに動作可能に接続された少なくとも１つの補助モジュールを有する補助プリント回路基板（ＡＵＸＰＣＢ）であって、その第２のＮＦＣモジュールが第２の前記複数の領域内に位置する、補助プリント回路基板（ＡＵＸＰＣＢ）と、
を備え、
前記第１のＮＦＣモジュールと前記第２のＮＦＣモジュールとが、ＮＦＣリンクを確立するように構成されている、頭部装着型のコンピュータ。
［態様８］
態様７に記載の頭部装着型のコンピュータにおいて、さらに、
前記ハウジングの前記端部領域のうちの一方に取り付けられた、少なくとも１つのマウント部、
を備える、頭部装着型のコンピュータ。
［態様９］
態様８に記載の頭部装着型のコンピュータにおいて、前記少なくとも１つのマウント部は、付属物が取り付けられるように構成されている、頭部装着型のコンピュータ。
［態様１０］
態様９に記載の頭部装着型のコンピュータにおいて、前記付属物が、カメラ、センサ、マイクロホン、ディスプレイおよび照明装置のうちの、少なくとも１つを含む、頭部装着型のコンピュータ。
［態様１１］
態様８に記載の頭部装着型のコンピュータにおいて、前記少なくとも１つのマウント部が、少なくとも１つのジョイント部を有する、頭部装着型のコンピュータ。
［態様１２］
態様７に記載の頭部装着型のコンピュータにおいて、前記第１の複数の領域と前記第２の複数の領域とが、互いに隣り合う、頭部装着型のコンピュータ。
［態様１３］
頭部装着型のコンピュータをユーザに合うように構成する方法であって、
ユーザの頭部に対して内側方向の力を加える少なくとも１つのばね体、可撓領域又は剛体領域に設定可能な複数の領域、および２つの端部領域を有するハウジングを用意する過程、
を含み、
前記頭部装着型のコンピュータは、前記２つの端部領域がユーザの頭部の前側に位置し、かつ、これら２つの端部がそれぞれユーザの頭部の両側に配されるようにして、そのユーザの頭部の一部を取り囲むように構成される、方法。
［態様１４］
態様１３に記載の方法において、前記ハウジングが、ユーザの頭部の後側により支持される、方法。
［態様１５］
態様１３に記載の方法において、前記ハウジングが、第１の可撓領域および第２の可撓領域を有する、方法。
［態様１６］
態様１５に記載の方法において、前記第１の可撓領域が、前記ハウジングの中央部と第１の剛体領域との間に位置する、方法。
［態様１７］
態様１６に記載の方法において、前記第２の可撓領域が、前記第１の剛体領域と第２の剛体領域との間に位置する、方法。
［態様１８］
態様１７に記載の方法において、前記第１の可撓領域により与えられる内側方向の力が、前記第２の可撓領域により与えられる内側方向の力よりも大きい、方法。
［態様１９］
態様１３に記載の方法において、さらに、
第１の近距離無線通信（ＮＦＣ）モジュールに、中央演算処理装置（ＣＰＵ）を有する中央演算処理プリント回路基板（ＣＰＵＰＣＢ）を動作可能に接続する過程であって、その第１のＮＦＣモジュールが第１の前記複数の領域内に位置する過程と、
第２のＮＦＣモジュールに、少なくとも１つの補助モジュールを有する補助プリント回路基板（ＡＵＸＰＣＢ）を動作可能に接続する過程であって、その第２のＮＦＣモジュールが第２の前記複数の領域内に位置する過程と、
を含み、
前記第１のＮＦＣモジュールと前記第２のＮＦＣモジュールとが、ＮＦＣリンクを確立するように構成される、方法。
［態様２０］
態様１９に記載の方法において、さらに、
前記ハウジングの前記端部領域のうちの一方に取り付けられた、少なくとも１つのマウント部を用意する過程、
を含む、方法。
［態様２１］
態様２０に記載の方法において、前記少なくとも１つのマウント部は、付属物が取り付けられるように構成されている、方法。
［態様２２］
態様２１に記載の方法において、前記付属物が、カメラ、センサ、マイクロホン、ディスプレイおよび照明装置のうちの、少なくとも１つを含む、方法。
［態様２３］
態様２０に記載の方法において、前記少なくとも１つのマウント部が、少なくとも１つのジョイント部を有する、方法。
［態様２４］
態様１９に記載の方法において、前記第１の複数の領域と前記第２の複数の領域とが、互いに隣り合う、方法。
【手続補正３】
【補正対象書類名】図面
【補正対象項目名】図５
【補正方法】変更
【補正の内容】
【図５】
2016506563.tif 000001